(57)【要約】【課題】  従来の非接触ＩＣカードやＲＦＩＤはＣＰＵの搭載やメモリ容量などの点で限界があり、アプリケーションも限定されるなどの問題点があった。従来のＩＣカードやＲＦＩＤに用いられているチップ技術を拡張して、広い範囲で応用可能なメンコ型非接触デジタルバーサタイルチップおよび録再装置から成るメンコ型非接触デジタルバーサタイルチップシステムを提供することにある。【解決手段】  高速ＣＰＵを内蔵し、大容量のメモリーを持ち、さらに電源システムを有し、送受信アンテナを通して電磁結合方式で得られた電力を、インバータを介して安定した電源として変復調器を通して供給するメンコ型非接触デジタルバーサタイルチップおよび録再装置から成るメンコ型非接触デジタルバーサタイルチップシステムによって、上記課題を解決することができる。【選択図】  図１
2005174275.tif 000002
【特許請求の範囲】
【請求項１】
半導体回路装置を駆動するための電力とするために信号の送受信を行なうためのアンテナと、前記アンテナに誘起された交流波を、インバータを通して整流した後に変復調器を通して電力を供給することを特徴とするメンコ型非接触デジタルバーサタイルチップ。
【請求項２】
請求項１に記載したメンコ型非接触デジタルバーサタイルチップに、録再装置を組み合わせることによって、リーダライタ機能を付与されたメンコ型非接触デジタルバーサタイルチップシステム。
【請求項３】
メモリー容量として数十メガバイト以上のＥＥＰＲＯＭあるいはフラッシュメモリーを用いることを特徴する請求項１あるいは請求項２に記載のメンコ型非接触デジタルバーサタイルチップおよび録再装置から成るメンコ型非接触デジタルバーサタイルチップシステム。
【請求項４】
高速ＣＰＵを搭載することによって、高速でのデータ処理を可能にした請求項１あるいは請求項２あるいは請求項３に記載のメンコ型非接触デジタルバーサタイルチップおよび録再装置から成るメンコ型非接触デジタルバーサタイルチップシステム。
【請求項５】
耐熱、防水機能を有するケースで被覆することによって、工場、屋外、自動車、航空機など、通常の電子機器が使用しにくい、あるいは使用できないような悪環境下でも使用可能とした請求項１あるいは請求項２あるいは請求項３あるいは請求項４に記載のメンコ型非接触デジタルバーサタイルチップおよび録再装置から成るメンコ型非接触デジタルバーサタイルチップシステム。
【請求項６】
内部の大容量メモリーを用いて、ＩＤあるいはパスワードを設定することによって、セキュリティ度を高めることを可能にした請求項１あるいは請求項２あるいは請求項３あるいは請求項４あるいは請求項５に記載のメンコ型非接触デジタルバーサタイルチップおよび録再装置から成るメンコ型非接触デジタルバーサタイルチップシステム。
【請求項７】
外部ケースに有機ＥＬディスプレイを用いることによって、低消費電力でも稼動するディスプレイ付の請求項１あるいは請求項２あるいは請求項３あるいは請求項４あるいは請求項５あるいは請求項６に記載のメンコ型非接触デジタルバーサタイルチップおよび録再装置から成るメンコ型非接触デジタルバーサタイルチップシステム。
【請求項８】
内部の大容量メモリに、指紋データなどのバイオメトリクス情報を内蔵しておくことによって、個人認証システムとして使用することが可能な、セキュリティ度の請求項１あるいは請求項２あるいは請求項３あるいは請求項４あるいは請求項５あるいは請求項６あるいは請求項７に記載のメンコ型非接触デジタルバーサタイルチップおよび録再装置から成るメンコ型非接触デジタルバーサタイルチップシステム。
【発明の詳細な説明】
【技術分野】
【０００１】  本発明は、メンコ型非接触デジタルバーサタイルチップおよび録再装置から成るメンコ型非接触デジタルバーサタイルチップシステムに関するものである。メンコ型非接触デジタルバーサタイルチップには、数十メガバイト以上の大容量メモリを搭載しており、大量の情報を記憶し活用することが可能である。また、高速ＣＰＵを搭載することによって、情報処理を高速に行なうことが可能である。これによって、例えば、個人情報、静止画、動画、音声、文書などさまざまな情報のデータストレージツールとして活用することが可能となる。
【背景技術】
【０００２】  類似のデータストレージシステムの一つとしては、すでに非接触タイプのＩＣカードやＲＦＩＤなどが産業分野を中心に普及が始まりつつある。【０００３】  例えば、ＩＣカードはカード内部にデータ記録媒体としてＩＣチップが内蔵されており、リーダライタとＩＣカードとの間でデータの読み取りなどのやり取りを行なって情報の交換が可能である。ＩＣカードは電磁結合あるいは電磁誘導方式によって電力を供給することが可能であるため、基本的に電池レスタイプが実用化されている。【０００４】  さらに類似技術としてＲＦＩＤ（Ｒａｄｉｏ  Ｆｒｅｑｕｅｎｃｙ  ＩＤｅｎｔｉｆｉｃａｔｉｏｎ）システムがある。ＲＦＩＤシステムの特徴は、リーダからトランスポンダに電波を発信し、応答エネルギーを与えることができるため基本的に電池レスである点はＩＣカードと同様である。通常、ＩＣカードがＣＰＵを有しておりＲＯＭにデータをストレージするのに対し、ＲＦＩＤではＥＥＰＲＯＭなどのメモリーを用いる点が異なるが、両者は基本的には類似のシステムといえる。【０００５】  ＩＣカードについては、これまで、銀行のキャシュカードやクレジットカードなどの金融分野、住民基本台帳ネットワークシステムや健康保険カード、運転免許証などの行政分野、鉄道乗車券やバス乗車券などの交通分野、各種プリペイドカードや電子マネー分野、入退室管理などのセキュリティ分野などで実用化が図られつつある。【０００６】  また、ＲＦＩＤについては、製造工程管理などの産業分野、物流・流通分野、セキュリティ分野、スキー場、ゲームセンター、パチンコなどの遊戯分野などで実用化が進展してきている。
【発明の開示】
【発明が解決しようとする課題】
【０００７】  従来の非接触ＩＣカードやＲＦＩＤを用いたアプリケーションは普及の揺籃期にあり、コストダウンを優先させる必要があるなどの事情から、ＣＰＵを搭載する点や、搭載するメモリの容量などに関して限界があった。すなわち、複雑なデータ処理を高速で行なうことを可能にするような高速ＣＰＵの搭載や、大量のデータ記憶を可能にするような大容量メモリの搭載などは困難であった。現状のアプリケーションにとどまる限りにおいては、現状のスペックで大きな支障はないものの、現状のスペックが逆にアプリケーションの拡大を妨げているのも事実である。【０００８】  例えば、ＩＣカードについては、カードに簡易的ＣＰＵを有しており、従来の磁気カードに比べると情報量が多く、高いセキュリティ度が得られるなどの改善点があるものの、適用されるアプリケーションの一つをこなすのが精一杯という状況にある。例えば、行政分野なら住民基本台帳ネットワークシステムで１枚のカードを必要とし、さらに、健康保険証として別の１枚のカードを必要とし、さらに、免許証として別の１枚のカードを必要とし、さらに、パスポートとして別に１枚のカードを必要とするという具合に、メモリが限定的であることは、アプリケーションが限定的になり、使用者側の不便を増幅しているという致命的な欠陥となっている。【０００９】  しかし、メモリ容量を増やすことは現状ではコストアップを招くため、適用が難しい状況になっている。こうした事情があるため、メモリ容量を増やしたり、同じような理由で高速ＣＰＵを搭載するなどは現状のＩＣカードのスペックでは実現していない。【００１０】  また、ＲＦＩＤは非常に大量の対象物に適用することを想定している物流・流通分野などが主なアプリケーション分野であるため、コスト意識はＩＣカード以上に高いものがある。したがって、ＲＦＩＤではＩＣカードに比べてさらに価格を安くするために、通常、ＣＰＵを搭載することはなく、記録媒体としても簡易的なＥＥＰＲＯＭを用いていることが多い。したがって、ＲＦＩＤは記録する情報量が不足するのが難点であり、さらにＩＣカードに比べるとセキュリティ度の点で劣るとされている。【００１１】  こうして、ＩＣカードとＲＦＩＤに共通していえることであるが、これらのシステムは高価であるために、アプリケーションが限定されており、一般市民の日常生活に深く浸透している状況にはない。逆に、そうした状況にあるゆえに、コストアップ要因になるメモリの大容量化や高速ＣＰＵの採用などは想定されていない。そうしたスペック上の制約がさらにアプリケーションの広がりを抑制するという悪循環に陥っている。
【課題を解決するための手段】
【００１２】  上記課題を解決するために、本発明のメンコ型非接触デジタルバーサタイルチップおよび録再装置から成るメンコ型非接触デジタルバーサタイルチップシステムは、多様なアプリケーションに対応可能なシステムを提供するものである。しかも、アプリケーションの広がりによって低価格も解決される見通しがある。【００１３】  本発明に係るメンコ型非接触デジタルバーサタイルチップは、高速ＣＰＵ、大容量メモリ、および電源システムからなり、送受信アンテナを通して電磁結合方式で得られた電力を、インバータを介して安定した電源として変復調器を通して供給することができる。メンコ型非接触デジタルバーサタイルチップと対になった録再装置には、メンコ型非接触デジタルバーサタイルチップと同様なシステム以外に、キーボードコントローラ、液晶画面、各種インターフェース等が搭載されており、メンコ型非接触デジタルバーサタイルチップとの情報のやり取りを可能にするものである。メンコ型非接触デジタルバーサタイルチップと録再装置から成るメンコ型非接触デジタルバーサタイルチップシステムによって、本発明のハードウエハは成り立っている。【００１４】  このように、メモリ容量が大きく、さらに高速ＣＰＵを搭載したメンコ型非接触デジタルバーサタイルチップおよび録再装置から成るメンコ型非接触デジタルバーサタイルチップシステムは、従来、ＩＣカードやＲＦＩＤが用いられてきている産業分野、行政分野、交通分野、電子マネー分野、セキュリティ分野以外のさまざまな分野において適用可能な、極めて汎用性の高い製品となり得るものである。結局、メンコ型非接触デジタルバーサタイルチップのコストは数量依存であるため、アプリケーションが飛躍的に高まることによって、コストの問題はおのずから解決されてゆくことになる。したがって、まず、高速ＣＰＵの搭載と、大容量メモリの搭載によって、アプリケーションを広げることが、メンコ型非接触デジタルバーサタイルチップおよび録再装置から成るメンコ型非接触デジタルバーサタイルチップシステムにとって、普及とコストダウンの最短距離の道となりえるのである。【００１５】  こうした高速ＣＰＵ、および大容量メモリを搭載したメンコ型非接触デジタルバーサタイルチップおよび録再装置から成るメンコ型非接触デジタルバーサタイルチップシステムは、従来のＩＣカードやＲＦＩＤの適用分野以外においても、新たな適用可能性を広げることになる。【００１６】  例えば、いわゆる「遊びの道具」として、本発明のメンコ型非接触デジタルバーサタイルチップおよび録再装置から成るメンコ型非接触デジタルバーサタイルチップシステムを用いることができる。従来発想されていなかった分野でのきわめて広範囲なアプリケーションを可能にする。そのようにして適用分野を飛躍的に広げたメンコ型非接触デジタルバーサタイルチップおよびメンコ型非接触デジタルバーサタイルチップシステムは、量産化によって劇的に価格を下げることが可能であり、アミューズメント分野というかつてなかった分野を開拓することによって、さらなる価格低下を招き、普及に拍車をかけることが可能となる。
【発明の効果】
【００１７】  本発明に係るメンコ型非接触デジタルバーサタイルチップおよび録再装置から成るメンコ型非接触デジタルバーサタイルチップシステムは、高速ＣＰＵあるいは大容量メモリを搭載した改善された非接触ＩＣカードあるいはＲＦＩＤに類似のシステムを提供するものである。このシステムは、従来、産業分野、業務分野、行政分野などの実用的な面でのアプリケーションしか存在しなかったが、高速ＣＰＵあるいは大容量メモリの搭載によって、情報の種類や内容、その用い方を飛躍的に変化せしめることが可能となり、従来活用されていなかったエンターテインメントやアミューズメント分野をはじめとして、これまでＩＣカードやＲＦＩＤの適用分野として想定されていなかった広範囲な分野に用いることを可能にするものである。それによってこれまで知られていなかったまったく新たな発想に基づく商品として生まれ変わる可能性が開けるものであり、そのようなアプリケーション展開が無限に広がることが期待できる。
【発明を実施するための最良の形態】
【００１８】  図１に、従来のＲＦＩＤおよび非接触ＩＣカードと比較して、本発明のメンコ型非接触デジタルバーサタイルチップの相違点を示す。本発明の非接触デジタルバーサタイルチップにおいては、高速のＣＰＵあるいは大容量のメモリを有する点が従来のＲＦＩＤや非接触ＩＣカードと大きく異なる点である。【００１９】  図２に、メンコ型非接触デジタルバーサタイルチップの回路構成図を、図３に、メンコ型非接触デジタルバーサタイルチップ用録再装置の回路構成図を示す。【００２０】  図２にブロック図として示したメンコ型非接触デジタルバーサタイルチップは、録再装置に一定距離近傍に近づけると、電磁結合的作用により、送受信アンテナおよび電力受給コイルが作動して非接触デジタルバーサタイルチップの必要動作を得るのに必要な電力エネルギーを得ることができる。さらにメンコ型非接触デジタルバーサタイルチップ内の回路に内蔵されたインバータ、変復調器等の電力変換装置を通してＭＰＵおよびメモリに必要な電力が提供されることになる。【００２１】  図３にブロック図として示したメンコ型非接触デジタルバーサタイルチップ用録再装置は、ＣＰＵ、ＡＶエンコーダデコーダ、バッファメモリ、変復調器、送受信アンテナおよび電力受給コイル、ＬＣＤ、キーボードコントローラ、ＲＯＭ／ＲＡＭ、各種インターフェースなどから成り、メンコ型非接触デジタルバーサタイルチップと電磁結合に関連しあってデータの書き込み、読み出しなどを行なうことができる。
【実施例】
【００２２】  以下、本発明のメンコ型非接触デジタルバーサタイルチップおよび録再装置から成るメンコ型非接触デジタルバーサタイルチップシステ厶のアプリケーション事例について述べる。【００２３】  メンコ型非接触デジタルバーサタイルチップのケース部分は、通常、外部の埃や熱、水分などを嫌うため、そうした環境に遭遇しない環境での使用に限定されていたが、本発明では外部ケースに耐熱、防水機能を要するケースを用いることによって、屋外、工場、自動車、航空機など、通常の電子機器が使用できないような悪環境下でも使用することが可能となる。【００２４】  本発明に係るメンコ型非接触デジタルバーサタイルチップはさまざまなアプリケーションに適用製品可能なものであるが、内部メモリを通して、ＩＤあるいはパスワードを設定することによって、従来、セキュリティとは無縁であった音楽情報やアミューズメント情報などを高いセキュリティで保護することが可能となる。【００２５】  本発明に係るメンコ型非接触デジタルバーサタイルチップは、外部ケースにさまざまな柄やキャラクタ商品などをプリント印刷することが可能である。そのようなさまざまな柄と内部情報との関連性を持たせることによって教育やアミューズメント用途としての活用がいっそう容易になる。【００２６】  本発明に係るメンコ型非接触デジタルバーサタイルチップの外部ケースに消費電力の少ない有機ＥＬディスプレイを用いることによって、低消費電力でも稼動するディスプレイを有するメンコ型非接触デジタルバーサタイルチップが実現可能となる。【００２７】  本発明に係るメンコ型非接触デジタルバーサタイルチップの内部メモリーに指紋データを内蔵しておくことによって、アミューズメント分野でのアプリケーションでありながら、同時に高度な指紋認証システムとして使用することも可能となる。【００２８】  本発明に係るメンコ型非接触ＤＶＣシステムはゲーム分野への応用も広げることが可能である。例えば、個人情報を記録したメンコ型非接触デジタルバーサタイルチップを、占いボックスとした録再装置の上に置くと、メンコ型非接触デジタルバーサタイルチップから個人情報を読み出し、それに基づいてあらかじめセッティングしたデータベースと照合しながら、占い結果を表示することができる。【００２９】  また、本発明に係るメンコ型非接触ＤＶＣシステムを人生ゲームとして用いることができる。人生ゲームの駒としてメンコ型非接触デジタルバーサタイルチップを用いるなら、ゲーム中にメモリを書き換え、有機ＥＬディスプレイに内容を表示してリアルタイムで未来版の人生ゲームを楽しむことができる。【００３０】  また、本発明に係るメンコ型非接触ＤＶＣシステムをじゃんけんゲームのような相手の存在するゲームとしても用いることができる。例えば、複数のメンコ型非接触デジタルバーサタイルチップを同時に録再装置の上に載せ、メンコ型非接触デジタルバーサタイルチップの中に記録されている情報を判別し、結果を表示することも可能である。このようにしてメンコ型非接触デジタルバーサタイルチップを用いたじゃんけんゲームのようなものとして活用できる。【００３１】  また、本発明に係るメンコ型非接触デジタルバーサタイルチップお���び録再装置から成るメンコ型非接触デジタルバーサタイルチップシステムを語学練習ツールとして用いることも可能である。例えば、さまざまな練習用のシチュエーションにおけるシチュエーション別の音声データをメンコ型非接触デジタルバーサタイルチップにメモリしており、メンコ型非接触デジタルバーサタイルチップを置き換えながら語学練習を行なうことが可能である。【００３２】  また、本発明のメンコ型非接触デジタルバーサタイルチップおよび録再装置から成るメンコ型非接触デジタルバーサタイルチップシステムをイベントメモリーとして用いることが可能である。例えば、メンコ型非接触デジタルバーサタイルチップに、お経をメモリしておき、録再装置の上に置くと、お経や音楽などの音声が流れるメモリアルチップとして用いることができる。【００３３】  上記に示した実施例はメンコ型非接触デジタルバーサタイルチップおよび録再装置から成るメンコ型非接触デジタルバーサタイルチップシステムの応用例のほんの一端を示すものであり、アミューズメントの分野などにおいて無限のアプリケーション展開が可能である。【００３４】  さらに、別の分野での実施の可能性も無限に広がっている。例えば、建物の配線図、製品の回路図、補修パーツの型番など、従来紙ベースでのアナログメディアによって保存されていたデータを非接触デジタルバーサタイルチップを用いて保存することができる。これによって、長期間保存可能な不揮発メモリを有するデータ保存手段として、あるいは、耐候性、耐熱性、耐薬品性に優れたデータ保存手段として、あるいはパスワード保護機能を加えることによってセキュリティ度の高いデータ保存手段として、あるいはデータの改竄を防ぐデータ保存手段として、利用することが可能である。
【図面の簡単な説明】
【００３５】
【図１】タイプ別ＤＶＣの概要説明図
【図２】非可動非接触ＤＶＣシステムブロック図
【図３】ＤＶＣ内部ブロック図
【図１】
2005174275.tif 000003
【図２】
2005174275.tif 000004
【図３】
2005174275.tif 000005